(57)【要約】      （修正有）【課題】電磁弁用端子箱の結露を防止する。【解決手段】電磁弁に備えられ水密状に密封された端子箱３において、該端子箱３の内外を区画する壁体5aの一部を通気性及び防水性を具有した透湿性防水素材にて形成したり、端子箱３を構成する端子箱本体４と蓋体５の開口部端面間に通気性及び防水性を具有した透湿性防水素材から成るガスケットを介装することにより、透湿性防水素材から成るガスケットと壁体5aの一部を空気が通過することで、端子箱３に外気を流通させ、端子箱３内外の温度差を生じさせず、結露を防止し、端子箱３内の電気系統Ｘの腐食や短絡を阻止する。【選択図】図２
2006269453.tif 000002
【特許請求の範囲】
【請求項１】
電磁弁に備えられ、該電磁弁の電気系統を水密状に収容密封した端子箱において、該端
子箱の内外を区画する壁体の一部を通気性及び防水性を具有した透湿性防水素材にて形成
したことを特徴とする電磁弁用端子箱の結露防止構造。
【請求項２】
電磁弁に備えられ、該電磁弁の電気系統を水密状に収容密封した端子箱において、該端
子箱を構成する端子箱本体と蓋体の開口部端面間に通気性及び防水性を具有した透湿性防
水素材から成るガスケットを介装したことを特徴とする電磁弁用端子箱の結露防止構造。
【請求項３】
電磁弁に備えられ、該電磁弁の電気系統を水密状に収容密封した端子箱において、該端
子箱の内外を区画する壁体の一部を通気性及び防水性を具有した透湿性防水素材にて形成
すると共に、端子箱を構成する端子箱本体と蓋体の開口部端面間に通気性及び防水性を具
有した透湿性防水素材から成るガスケットを介装したことを特徴とする電磁弁用端子箱の
結露防止構造。
【請求項４】
電磁弁に備えられ、該電磁弁の電気系統を水密状に収容密封した端子箱において、該端
子箱を構成する端子箱本体と蓋体の開口部端面間に介装されるものにして、通気性及び防
水性を具有した透湿性防水素材から成ることを特徴とする電磁弁用端子箱に用いるガスケ
ット。
【発明の詳細な説明】
【技術分野】
【０００１】
本発明は、電磁弁用端子箱の結露防止構造及びその端子箱に用いるガスケットに関する
。
【背景技術】
【０００２】
従来、電磁弁に備えられた端子箱は、弁本体に取付けられた電磁石のソレノイドコイル
のリード線と、外部電源からの電気配線とを電気接続する制御回路等の電気系統を収容し
ているので、かかる電気系統が塵埃や水の侵入によって焼損、短絡、腐食することを防止
するため、前記電気系統を水密状に密封して防水している。
端子箱の具体的構成は、特許文献１に開示される様に、電気系統を収容した端子箱本体
と、該端子箱本体の開口部を被冠する蓋体とから成り、該蓋体と端子箱本体との間にはガ
スケットを介装してシールしている。
【特許文献１】実開平７−６５８０号公報
【発明の開示】
【発明が解決しようとする課題】
【０００３】
上記の様に、端子箱の内部が密封されると、端子箱内外の空気の流通がないので、その
内外の温度差により端子箱内部に結露を生じ、その水滴が端子箱内の電気系統に付着し、
該電気系統の構成要素である回路素子等が腐食したり、制御回路が短絡する課題を有して
いた。
【課題を解決するための手段】
【０００４】
本発明は、電磁弁に備えられ、該電磁弁の電気系統を水密状に収容密封した端子箱にお
いて、該端子箱の内外を区画する壁体の一部を通気性及び防水性を具有した透湿性防水素
材にて形成したり、端子箱を構成する端子箱本体と蓋体の開口部端面間に通気性及び防水
性を具有した透湿性防水素材から成るガスケットを介装することにより、透湿性防水素材
から成るガスケットと壁体の一部を空気が通過することで、端子箱に外気を流通させ、端
子箱内外の温度差を生じさせず、結露を防止する様にして、上記課題を解決する。
【発明の効果】
【０００５】
要するに請求項１に係る発明は、端子箱の内外を区画する壁体の一部を通気性及び防水
性を具有した透湿性防水素材にて形成したので、該透湿性防水素材は防水性を有するため
、これが制御回路等の電気系統を水密状に密封する端子箱の壁体の一部を形成していても
、端子箱内に塵埃や水が侵入することはなく、その内部に収容された電気系統を従前と同
様に保護できる。
その上、透湿性防水素材の材質特性により、空気が透湿性防水素材で形成された端子箱
の壁体の一部を通過することで、端子箱内には外気が流通し、端子箱内は外気と同一温度
となり、結露を生じさせないため、端子箱内の電気系統に結露による水滴が付着すること
は皆無で、従来の様な結露によって生じた電気系統の構成要素である回路素子等の腐食や
、制御回路の短絡等の不具合を未然に防止でき、かかる不具合による電磁弁の誤作動や故
障を防止できる。
【０００６】
請求項２に係る発明では、端子箱を構成する端子箱本体と蓋体の開口部端面間に通気性
及び防水性を具有した透湿性防水素材から成るガスケットを介装したので、該ガスケット
の材質特性の１つである防水性により端子箱にシール効果が得られると共に、ガスケット
のもう１つの特性である通気性により上記と同様に端子箱内には外気が流通し、端子箱内
を外気温と同一にして結露を防止し、結露による端子箱内の電気系統の故障等の防止、延
いては電磁弁の故障等を防止できる。
【０００７】
請求項３に係る発明によれば、端子箱の内外を区画する壁体の一部と、端子箱本体と蓋
体の間にシールの目的で介装されるガスケットの夫れを、通気性及び防水性を具有した透
湿性防水素材にて形成したので、請求項１と請求項２に係る発明と同様に端子箱に防水性
のみならず通気性を付与でき、端子箱内の結露を防止し、その内部に収容された電気系統
の腐食や短絡を阻止できる。
【０００８】
請求項４に係る発明によれば、端子箱本体と蓋体の開口部端面間に介装されるガスケッ
トが通気性及び防水性を具有した透湿性防水素材から成るので、そのガスケットを端子箱
に用いれば、そのガスケットの材質特性の１つである防水性により端子箱にシール効果が
得られると共に、ガスケットのもう１つの特性である通気性により上記と同様に端子箱内
には外気が流通し、端子箱内を外気温と同一にして結露を防止し、端子箱内の電気系統に
結露による水滴付着を防止できる。
従って、既存の端子箱のガスケットを、本発明に係るガスケットに交換するだけでガス
ケット本来のシール効果に加えて端子箱内の結露防止効果を発揮できる等その実用的効果
甚だ大である。
【発明を実施するための最良の形態】
【０００９】
以下本発明の実施の形態としての実施例を図面に基づいて説明する。
図１は本発明に係る端子箱を備えた電磁弁の一側面図である。
この電磁弁の弁本体１はその内部に設けた一次側流路と二次側流路とを断続させる弁体
を内蔵し、弁本体１の上部には、前記弁体の作動を制御する電磁石を内蔵した電磁箱２を
設け、該電磁箱２の側方には、前記電磁石のソレノイドコイルからのリード線と外部電源
からの電気配線とを電気接続する制御回路等の電気系統Ｘを収容した端子箱３を設けてい
る。
端子箱３は、その内外を区画する壁体4a、5aの主要部分を合成樹脂材にて形成し、壁体
4a、5aの一部を通気性及び防水性を具有した透湿性防水素材にて形成したものにして、端
子箱本体４と蓋体５とから構成され、該端子箱本体４と蓋体５との開口部端面4b、5b間に
は透湿性防水素材から成るガスケット６を介装している。
上記透湿性防水素材としては、「エントラント（登録商標）」、「ＴＥＴＲＡＴＥＸ（
登録商標）〔テトラテックス〕」、その他に、無数の微小孔が形成され、この微小孔によ
り空気を透過させるが、空気より大きい水分子の通過を阻止する機能を有した微多孔質フ
ィルムを繊維素材にラミネートした織物などが挙げられるが、通気性及び防水性の機能を
有する素材であれば、前記のものに限定されない。
【００１０】
図２、４、５に示す様に、端子箱本体４は、上方を開口した略箱型に形成され、その開
口部端面5bの４隅にねじ穴７を設けると共に、その内部を上記電気系統Ｘの収容部８と成
し、端子箱本体４の左右側壁には収容部８に連通する導入管９、10を突設している。
収容部８の底面部を構成する壁体4a中央の短手方向前後には、該壁体4aと同一肉厚で円
形状の透湿性防水素材を一体形成して通気部11と成している。
一方の導入管９は、電磁箱２の側方に水密状に螺着接続され、収容部８と電磁箱２内部
とを連通し、該電磁箱２内からの上記リード線（図示せず）を導入管９内を通して収容部
８に導入している。
他方の導入管10は、先端側が軟質塩化ビニル製から成る管状のシールコネクタ12の基端
部を水密状に螺着接続し、シールコネクタ12と導入管10の内部に外部電源からの電気配線
（図示せず）を通して該電気配線を収容部８に導入している。
シールコネクタ12は、その先端側に略Ｃ型のプレスナット13を外嵌し、該プレスナット
13の両端部にクランプ用ねじ13ａを螺挿しており、該クランプ用ねじ13ａの締め付けによ
り、シールコネクタ12の先端側のプレスナット13で外嵌された部位が圧縮変形され、前記
電気配線を水密状にクランプしている。
【００１１】
収容部８の底面部中央であって通気部11間には、雌ねじ穴を有する筒状のねじ台14を立
設し、収容部８の前後内壁の夫れにはこれに隣接して支持板15、15ａを立設している。
支持板15、15ａ上には、外部電源からの電気配線を端子ねじにより止着する端子金具（
図示せず）などを備えた端子台16を架設しており、該端子台16は、その中央部に挿通した
ネジ17をねじ台14に螺着することで収容部８に固定され、端子台16上にはプリント基板18
をネジ17ａにて固定している。
プリント基板18は、ソレノイドコイルからのリード線を電気接続した図示しないプリン
ト配線を設け、該プリント配線は、抵抗、コンデンサ等の回路素子（図示せず）や発光ダ
イオード等の表示灯19などを電気接続すると共に、端子台16に設けた外部電源からの電気
配線を止着した端子金具を電気接続し、外部電源から電磁石への通電を可能にしている。
【００１２】
蓋体５は、透明又は半透明色の合成樹脂材から成り、図２、３に示す様に、下方を開口
した略箱型に形成され、その開口部端面5bを端子箱本体４の開口部端面4bに対応形成する
と共に、開口部端面5bの４隅には端子箱本体４のねじ穴７に対応して成る上下に貫通した
ねじ挿通穴を設け、蓋体５の上面部を構成する壁体5aの左側には、該壁体5aと同一肉厚で
蓋体５の短手方向に長い矩形状の透湿性防水素材を一体形成して通気部20と成している。
又、蓋体５の上面部中央には、端子箱本体４に収容されたプリント基板18に上方へ突出
する様に電気接続された表示灯19を囲繞して外部からその点灯を視認可能と成したドーム
状の表示部21を突設している。
【００１３】
本実施例では、通気部11は、端子箱本体４の底面部の２箇所に円形状に形成され、通気
部20は、蓋体５の上面部の１箇所に矩形状に形成されたもの示したが、通気部11、20の形
状、面積、個数、及び形成位置は上記に限定されない。
【００１４】
透湿性防水素材から成るガスケット６は、図２、４に示す様に、端子箱本体４の開口部
端面4bに合致した所定肉厚を有する略方形枠状に形成されると共に、その４隅に端子箱本
体４のねじ穴７に対応したねじ挿通穴を設けている。
そして、端子箱本体４内に、上記リード線及び電気配線を電気接続した電気系統（端子
台16、プリント基板18、表示灯19等）Ｘを収容した状態で、端子箱本体４と蓋体５の開口
部端面4b、5bの間にガスケット６を介装し、蓋体５の外方からそのねじ挿通穴とガスケッ
ト６のねじ挿通穴の夫れに取付けねじ22を通して端子箱本体４のねじ穴７に螺着すること
により、端子箱３は電気系統Ｘを水密状に収容密封する。
尚、かかる状態においては、端子箱３の導入管９は電磁箱２と水密状に接続され、導入
管10側はこれに水密状に接続したシールコネクタ12の先端側のプレスナット13で外嵌され
た部位がクランプ用ねじ13ａの締め付けにて圧縮変形することで外部電源からの電気配線
を水密状にクランプしているので、端子箱３内部は外部と水密状に隔離されている。
【００１５】
上記の様に構成された端子箱３は、これを構成する合成樹脂製の壁体4a、5aの一部に設
けた通気部11、20の表面と、端子箱本体４及び蓋体５の開口部端面4b、5b間に介装したガ
スケット６の表面を露出しているが、通気部11、20、及びガスケット６は透湿性防水素材
にて形成されているため、その材質特性により、合成樹脂製の壁体4a、5aと同様に、通気
部11、20、及びガスケット６の表面から水が侵入しないし、塵埃も侵入しない。
よって、かかる端子箱３を備えた電磁弁が屋外に配管され、雨水等に晒されても、端子
箱３に収容された電気系統Ｘを雨水や塵埃から保護している。
又、通気部11、20、及びガスケット６は、その材質特性により空気は通過できるため、
端子箱３によりその内部が密封され外部と遮断されていても、通気部11、20、及びガスケ
ット６を通して端子箱３内と外部の間で空気が流通するので、端子箱３の内部を外気と同
一温度に保持できる。
これにより、端子箱３の内部が結露することはなく、その内部に収容された電気系統Ｘ
の構成要素である端子台16の端子金具、プリント基板18、表示灯19等が腐食や短絡するこ
とはなく、延いては電磁弁の誤作動や故障を防止できる。
【００１６】
本実施例にあっては、透湿性防水素材から成る通気部11、20の夫れを端子箱本体４と蓋
体５に設け、該端子箱本体４と蓋体５の開口部端面4b、5b間に透湿性防水素材から成るガ
スケット６を介装したものを示したが、透湿性防水素材は、端子箱３における端子箱本体
４、蓋体５、又はガスケット６のいずれかに用いられれば、端子箱３内外の空気を透湿性
防水素材を通して流通させられ、上記の如く端子箱３内での結露を防止できるため、端子
箱本体４、蓋体５、又はガスケット６のいずれかに透湿性防水素材を用いる様にしても良
い。
特にガスケット６にあっては、既存の端子箱に用いられた通常のガスケットと交換する
ことで、ガスケット本来が有するシール機能に空気流通機能を付与してその端子箱に上記
と同様な結露防止機能を発揮させられる。
【図面の簡単な説明】
【００１７】
【図１】本発明に係る端子箱を備えた電磁弁の一側面図である。
【図２】端子箱の縦断面図である。
【図３】端子箱の平面図である。
【図４】蓋体を取り外した状態の端子箱の平面図である。
【図５】端子箱本体の平面図である。
【符号の説明】
【００１８】
３  端子箱
４  端子箱本体
５  蓋体
4a  壁体
5a  壁体
4b  開口部端面
5b  開口部端面
６  ガスケット
Ｘ  電気系統
【図１】
2006269453.tif 000003
【図２】
2006269453.tif 000004
【図３】
2006269453.tif 000005
【図４】
2006269453.tif 000006
【図５】
2006269453.tif 000007